(57)【要約】【課題】安定して高い部分放電開始電圧を有する平角絶縁電線を提供する。【解決手段】コーナー部４での絶縁皮膜３の膜厚をＴ3、コーナー部４間の平坦部５での絶縁皮膜３の最薄膜厚をＴ1、最厚膜厚をＴ2としたとき、下式（１）    Ｔ1／Ｔ2＞０．１３×（Ｔ3／Ｔ2）＋０．７４    ・・・（１）の関係を満たし、絶縁皮膜３が誘電率２．５以上の樹脂からなり、平坦部５での絶縁皮膜３の最薄膜厚Ｔ1と最厚膜厚Ｔ2との比（Ｔ1／Ｔ2）が、下式（２）    １＞Ｔ1／Ｔ2≧０．８５    ・・・（２）の関係を満たすものである。【選択図】図１
2013105566.tif 000002
【特許請求の範囲】
【請求項１】
断面矩形状でコーナー部に丸め加工が施された平角導体と、
該平角導体の外周に形成された樹脂からなる少なくとも１層の絶縁皮膜と、
を備えた平角絶縁電線において、
前記コーナー部での前記絶縁皮膜の膜厚をＴ3、前記コーナー部間の平坦部での前記絶縁皮膜の最薄膜厚をＴ1、最厚膜厚をＴ2としたとき、下式（１）
Ｔ1／Ｔ2＞０．１３×（Ｔ3／Ｔ2）＋０．７４    ・・・（１）
の関係を満たし、
前記絶縁皮膜が、誘電率２．５以上の樹脂からなり、
前記平坦部での前記絶縁皮膜の最薄膜厚Ｔ1と最厚膜厚Ｔ2との比（Ｔ1／Ｔ2）が、下式（２）
１＞Ｔ1／Ｔ2≧０．８５    ・・・（２）
の関係を満たす
ことを特徴とする平角絶縁電線。
【請求項２】
前記コーナー部での前記絶縁皮膜の膜厚Ｔ3は、前記コーナー部での部分放電開始電圧が、予め設定した許容値以上となる厚さに形成される
請求項１記載の平角絶縁電線。
【請求項３】
前記絶縁皮膜が、誘電率３．５以上の樹脂からなり、
前記平坦部での前記絶縁皮膜の最薄膜厚Ｔ1と最厚膜厚Ｔ2との比（Ｔ1／Ｔ2）が、下式（３）
１＞Ｔ1／Ｔ2≧０．８７    ・・・（３）
の関係を満たす
請求項１または２記載の平角絶縁電線。
【請求項４】
前記コーナー部での前記絶縁皮膜の膜厚Ｔ3、前記コーナー部間の平坦部での前記絶縁皮膜の最薄膜厚Ｔ1、最厚膜厚Ｔ2が、下式（４）
Ｔ1／Ｔ2＞０．１３×（Ｔ3／Ｔ2）＋０．７９    ・・・（４）
の関係を満たす
請求項１〜３いずれかに記載の平角絶縁電線。
【発明の詳細な説明】
【技術分野】
【０００１】
本発明は、平角導体の外周に樹脂からなる絶縁皮膜を形成した平角絶縁電線に係り、特に、モータなどの電気機器のコイル等に用いられる巻線用の平角絶縁電線に関するものである。
【背景技術】
【０００２】
モータなどの電気機器には、導体上に絶縁塗料を塗布し、焼付けして形成された絶縁皮膜を備えた絶縁電線が使用されており、特にコイル等の巻線用には、平角導体の外周に少なくとも１層の絶縁皮膜を形成した平角絶縁電線が一般に使用されている。
【０００３】
近年、電気機器の高出力化のために、高電圧でのインバータ制御が行われており、これに伴い、過大なサージ電圧の発生によって電気機器に使用されている絶縁電線に部分放電（ＰＤ：Partial Discharge）が発生することがあり、この部分放電の発生によって、絶縁皮膜が劣化・損傷することが懸念されている。
【０００４】
ところで、平角絶縁電線は、コーナー部に丸め加工が施されているのが一般的である。このような平角絶縁電線を用いてコイルを成形すると、丸め加工が施されたコーナー部（角Ｒ部）にて隣り合う平角絶縁電線間（あるいは平角絶縁電線と平角絶縁電線を収容するスロットとの間）にギャップが生じてしまうため、コーナー部で部分放電が発生し易い。
【０００５】
このような部分放電の発生による絶縁皮膜の劣化・損傷を防止するため、特許文献１では、コーナー部の膜厚Ａと、コーナー部の間の平坦な部分である平坦部の膜厚Ｂとが、Ａ≧０．６×Ｂの関係を満たす半導電層を断面平角状の導体上に形成した平角状電線が開示されている。
【０００６】
また、特許文献２では、コーナー部での絶縁皮膜の厚さが、平坦部での絶縁皮膜の厚さ以上であり、かつ、コーナー部の誘電率が平坦部の誘電率よりも小さい絶縁皮膜を導体上に形成した平角電線が開示されている。
【０００７】
このように、従来の平角絶縁電線では、絶縁皮膜のコーナー部の膜厚を大きくすることによって、コーナー部での部分放電の発生を抑制し、部分放電の発生による絶縁皮膜の劣化・損傷を防止していた。
【先行技術文献】
【特許文献】
【０００８】
【特許文献１】特開２００８−４１５６８号公報
【特許文献２】特開２００９−１２３４１８号公報
【発明の概要】
【発明が解決しようとする課題】
【０００９】
しかしながら、上述のようにコーナー部の絶縁皮膜の膜厚を大きくした平角絶縁電線を用いてコイルを成形した場合であっても、コイル成形後の部分放電開始電圧（ＰＤＩＶ：Partial Discharge Inception Voltage）の値が低くなってしまったり、ＰＤＩＶの値の大きさがばらついてしまうことがあった。
【００１０】
すなわち、コーナー部の絶縁皮膜の膜厚の大きさから想定され得るＰＤＩＶの値よりも低い電圧で部分放電が発生してしまうことがあり、コーナー部の膜厚を大きくしただけでは、安定して高い部分放電開始電圧が得られず、部分放電に対する耐性が十分であるとは言えなかった。
【００１１】
本発明は上記事情に鑑み為されたものであり、安定して高い部分放電開始電圧を有する平角絶縁電線を提供することを目的とする。
【課題を解決するための手段】
【００１２】
本発明は上記目的を達成するために創案されたものであり、断面矩形状でコーナー部に丸め加工が施された平角導体と、該平角導体の外周に形成された樹脂からなる少なくとも１層の絶縁皮膜と、を備えた平角絶縁電線において、前記コーナー部での前記絶縁皮膜の膜厚をＴ3、前記コーナー部間の平坦部での前記絶縁皮膜の最薄膜厚をＴ1、最厚膜厚をＴ2としたとき、下式（１）
Ｔ1／Ｔ2＞０．１３×（Ｔ3／Ｔ2）＋０．７４    ・・・（１）
の関係を満たし、前記絶縁皮膜が、誘電率２．５以上の樹脂からなり、前記平坦部での前記絶縁皮膜の最薄膜厚Ｔ1と最厚膜厚Ｔ2との比（Ｔ1／Ｔ2）が、下式（２）
１＞Ｔ1／Ｔ2≧０．８５    ・・・（２）
の関係を満たす平角絶縁電線である。
【００１３】
前記コーナー部での前記絶縁皮膜の膜厚Ｔ3は、前記コーナー部での部分放電開始電圧が、予め設定した許容値以上となる厚さに形成されるとよい。
【００１４】
前記絶縁皮膜が、誘電率３．５以上の樹脂からなり、前記平坦部での前記絶縁皮膜の最薄膜厚Ｔ1と最厚膜厚Ｔ2との比（Ｔ1／Ｔ2）が、下式（３）
１＞Ｔ1／Ｔ2≧０．８７    ・・・（３）
の関係を満たしてもよい。
【００１５】
前記コーナー部での前記絶縁皮膜の膜厚Ｔ3、前記コーナー部間の平坦部での前記絶縁皮膜の最薄膜厚Ｔ1、最厚膜厚Ｔ2が、下式（４）
Ｔ1／Ｔ2＞０．１３×（Ｔ3／Ｔ2）＋０．７９    ・・・（４）
の関係を満たしてもよい。
【発明の効果】
【００１６】
本発明によれば、安定して高い部分放電開始電圧を有する平角絶縁電線を提供できる。
【図面の簡単な説明】
【００１７】
【図１】本発明の一実施の形態に係る平角絶縁電線を示す図であり、（ａ）は横断面図、（ｂ）はその要部拡大断面図である。
【図２】図１の平角絶縁電線を用いたコイルの断面図である。
【図３】本発明において、平坦部に生じるギャップの大きさによっては、コーナー部で生じる部分放電よりも平坦部で生じる部分放電が支配的となることを説明する図である。
【図４】本発明において、ＰＤＩＶの測定方法を説明する図である。
【図５】本発明において、コーナー部が絶縁皮膜で均一に被覆された場合における、平坦部でのＰＤＩＶとコーナー部でのＰＤＩＶとの比と、Ｔ1／Ｔ2との関係を示すグラフ図である。
【図６】本発明において、均一被覆時のコーナー部でのＰＤＩＶと偏肉したときのコーナー部でのＰＤＩＶとの比と、Ｔ3／Ｔ2との関係を示すグラフ図である。
【図７】本発明において、平坦部でのＰＤＩＶとコーナー部でのＰＤＩＶが等しくなるときのＴ1／Ｔ2とＴ3／Ｔ2との関係と、さらに放電のばらつきを考慮したときのＴ1／Ｔ2とＴ3／Ｔ2との関係を示すグラフ図である。
【図８】本発明において、コーナー部が絶縁皮膜で均一に被覆され、絶縁皮膜の誘電率εを２．５，３．５，４．０と変化させた場合における、平坦部でのＰＤＩＶとコーナー部でのＰＤＩＶとの比と、Ｔ1／Ｔ2との関係を示すグラフ図である。
【図９】本発明において、コーナー部が絶縁皮膜で均一に被覆された場合における、平坦部でのＰＤＩＶとコーナー部でのＰＤＩＶとの比と、ギャップ幅Ｗとの関係を示すグラフ図である。
【発明を実施するための形態】
【００１８】
本発明者らは、平角絶縁電線におけるコーナー部間の平坦な部分である平坦部、すなわちコイルを成形した際に隣り合う平角絶縁電線同士で接触する部分の絶縁皮膜の状態と部分放電との関係を鋭意検討した結果、平坦部に特定のギャップが生じた場合に、コーナー部で生じる部分放電よりも平坦部で生じる部分放電が支配的となり、当該ギャップの部分において部分放電が発生してしまい、実質的にＰＤＩＶの低下が起こることを見出し、本発明に至った。
【００１９】
以下、本発明の実施の形態を添付図面にしたがって説明する。
【００２０】
図１は、本実施の形態に係る平角絶縁電線を示す図であり、（ａ）は横断面図、（ｂ）はその要部拡大断面図である。また、図２は、図１の平角絶縁電線を用いたコイルの断面図である。
【００２１】
図１，２に示すように、平角絶縁電線１は、断面矩形状でコーナー部４に丸め加工が施された平角導体２と、平角導体２の外周に形成された樹脂からなる少なくとも１層の絶縁皮膜３と、を備えている。コイル１０は、本発明の平角絶縁電線１をスロット１１内に収容したものである。
【００２２】
平角導体２としては、良導電性金属を用いるとよく、例えば、銅、アルミニウム、銅合金等を用いるとよい。平角導体２のコーナー部（角Ｒ部）４の曲率半径は、コイル１０を成形した際の巻線密度を高くするために、なるべく小さくすることが望ましく、０．３ｍｍ以下とすることが望ましい。ここでは、平角導体２のコーナー部４の曲率半径を０．３ｍｍとした。
【００２３】
絶縁皮膜３は、平角導体２の外周に絶縁塗料を塗布し、焼付けして形成される。なお、部分放電開始電圧（ＰＤＩＶ）を低下させる観点からは、絶縁皮膜３をなるべく厚く形成することが望ましいが、実際にはサイズの規定等のために、絶縁皮膜３を無制限に厚くすることはできない。
【００２４】
コーナー部４での絶縁皮膜３の膜厚Ｔ3は、コーナー部４での部分放電開始電圧（ＰＤＩＶ）が、予め設定した許容値（例えばピーク値で９００Ｖ）以上となる厚さに形成される。より具体的には、コーナー部４での絶縁皮膜３の膜厚Ｔ3は、４０μｍ以上とされることが望ましい。コーナー部４での絶縁皮膜３の膜厚Ｔ3の調整は、絶縁塗料を塗布する際に用いるダイスの形状を調節したり、あるいは絶縁塗料の粘度を調節することにより行うとよい。なお、ここでいうコーナー部４での絶縁皮膜３の膜厚Ｔ3とは、丸め加工が施されたコーナー部４の平角導体２の表面から絶縁皮膜３の表面までの最短距離（つまり、コーナー部４での絶縁皮膜３の最薄膜厚）のことである。
【００２５】
なお、絶縁塗料の粘度を高くし過ぎると、絶縁皮膜３の膜厚が不均一となり、製造工程におけるラインスピードも遅くする必要が生じ生産性も低下するため、絶縁塗料の粘度はある程度低くする必要がある。そのため、特にコーナー部４の曲率半径を小さくした場合には、平角導体２の外周に絶縁塗料をダイス塗布した際に、表面張力によりコーナー部４での絶縁塗料の膜厚が薄くなり、コーナー部４に形成される絶縁皮膜３の膜厚Ｔ3が薄くなってしまうことは避けられない。このような表面張力による影響等も考慮し、コーナー部４での絶縁皮膜３の膜厚Ｔ3を適宜な厚さに調整する必要がある。
【００２６】
ところで、図２に示すように、平角絶縁電線１の平坦部５同士、もしくは平角絶縁電線１の平坦部５とスロット１１とが接触した状態において、平坦部５に形成された絶縁皮膜３の膜厚が不均一である場合、接触面にギャップが生じてしまい、そのギャップ部分で部分放電が発生してしまう可能性がある。
【００２７】
図３に示すように、平坦部５に生じるギャップ３１の大きさによっては、平坦部５のＰＤＩＶがコーナー部４のＰＤＩＶよりも低くなり、コーナー部４で生じる部分放電３２よりも平坦部５で生じる部分放電３３が支配的となり、その結果、平角絶縁電線１全体のＰＤＩＶが低下してしまう。
【００２８】
そこで、本発明者らは、コーナー部４で十分なＰＤＩＶを確保した上で、絶縁皮膜３の膜厚分布を制御して平坦部５でのギャップ３１の生成を抑制することで、平坦部５のＰＤＩＶをコーナー部４のＰＤＩＶよりも高くし、コーナー部４での部分放電を優先的として平坦部５での部分放電の発生を抑制することを考えた。
【００２９】
より具体的には、本実施の形態に係る平角絶縁電線１は、図２に示すように、コーナー部４での絶縁皮膜３の膜厚をＴ3、コーナー部４間の平坦な部分である平坦部５での絶縁皮膜３の最薄膜厚をＴ1、最厚膜厚をＴ2としたとき、下式（１）
Ｔ1／Ｔ2＞０．１３×（Ｔ3／Ｔ2）＋０．７４    ・・・（１）
の関係を満たすものである。平坦部５での絶縁皮膜３の最薄膜厚Ｔ1、最厚膜厚Ｔ2の調整は、コーナー部４での絶縁皮膜３の膜厚Ｔ3と同様に、絶縁塗料を塗布する際に用いるダイスの形状や絶縁塗料の粘度を調節することにより行うことができる。なお、平坦部５での絶縁皮膜３の最厚膜厚Ｔ2は、例えば４０〜１５０μｍ程度である。本実施の形態では、平坦部５での絶縁皮膜３の最厚膜厚Ｔ2を６０μｍとした。
【００３０】
以下、式（１）の根拠について説明する。
【００３１】
３．２ｍｍ×１．８ｍｍの平角導体２の外周に絶縁皮膜３を形成した平角絶縁電線１を２本用い、２本の平角絶縁電線１の平坦部５同士を接触させて、図４に示すような背合せ試料４１を作製し、２本の平角絶縁電線１の平角導体２間に交流電源４２により交流電圧（周波数５０Ｈｚ）を印加してＰＤＩＶを測定した。平角導体２のコーナー部４の曲率半径は０．３ｍｍとし、ギャップ幅（くぼみ幅）Ｗ（図１（ｂ）参照）は０．４ｍｍとした。また、絶縁皮膜３の誘電率εは３．５とし、平坦部５での絶縁皮膜３の最厚膜厚Ｔ2は０．０６ｍｍとした。
【００３２】
コーナー部４が絶縁皮膜３で均一に被覆された場合、すなわちＴ2＝Ｔ3＝０．０６ｍｍとした場合における、平坦部５でのＰＤＩＶとコーナー部４でのＰＤＩＶとの比（ＰＤＩＶ＠平坦部／ＰＤＩＶ＠コーナー部均一）と、Ｔ1／Ｔ2との関係を図５に示す。
【００３３】
図５に示すように、平坦部５での最薄膜厚Ｔ1が薄くなるほど、平坦部５でのＰＤＩＶは低下する。図５より、Ｔ1／Ｔ2が０．８７以上であれば、平坦部５でのＰＤＩＶとコーナー部４でのＰＤＩＶとの比（ＰＤＩＶ＠平坦部／ＰＤＩＶ＠コーナー部均一）が１以上、すなわち、コーナー部４でのＰＤＩＶが平坦部５でのＰＤＩＶと同じか、または高くなり、コーナー部４でのＰＤＩＶよりも平坦部５でのＰＤＩＶが高くなったときに、コーナー部４で優先的に部分放電が発生することが分かる。
【００３４】
さらに、均一被覆時（Ｔ2＝Ｔ3＝０．０６ｍｍ）のコーナー部４でのＰＤＩＶと偏肉したとき（Ｔ2≠Ｔ3）のコーナー部４でのＰＤＩＶとの比（ＰＤＩＶ＠コーナー部／ＰＤＩＶ＠コーナー部均一）と、Ｔ3／Ｔ2との関係を求めた。結果を図６に示す。
【００３５】
図６に示すように、均一被覆時（Ｔ2＝Ｔ3、Ｔ3／Ｔ2＝１）のＰＤＩＶを基準とすると、コーナー部４での絶縁皮膜３の膜厚Ｔ3が薄くなるほど、コーナー部４でのＰＤＩＶは低下している。
【００３６】
図５と図６より、コーナー部４での偏肉を考慮して、平坦部５でのＰＤＩＶとコーナー部４でのＰＤＩＶが等しくなる（ＰＤＩＶ＠平坦部／ＰＤＩＶ＠コーナー部＝１となる）ときのＴ1／Ｔ2とＴ3／Ｔ2との関係を求めると、図７に破線で示す直線のようになる。この破線で示す直線は、下式（５）
Ｔ1／Ｔ2＝０．１３×（Ｔ3／Ｔ2）＋０．７４    ・・・（５）
で表される。
【００３７】
式（５）で表される直線は、平坦部５でのＰＤＩＶとコーナー部４でのＰＤＩＶが等しくなるときのＴ1／Ｔ2とＴ3／Ｔ2との関係であるから、平坦部５のＰＤＩＶをコーナー部４でのＰＤＩＶよりも高くするには、Ｔ1／Ｔ2とＴ3／Ｔ2との関係が、この直線よりも図示上側の領域にあればよい（つまり上述の式（１）を満たせばよい）ことになる。
【００３８】
なお、本実施の形態では、さらに、平坦部５での部分放電を確実に抑えるために、放電のばらつきとして５％を加味して、破線の直線（式（５）の直線）を図示上側にスライドさせた実線の直線を用いることが好ましい。この実線の直線は、下式（６）
Ｔ1／Ｔ2＝０．１３×（Ｔ3／Ｔ2）＋０．７９    ・・・（６）
で表される。
【００３９】
Ｔ1／Ｔ2とＴ3／Ｔ2との関係が、この式（６）で表される直線よりも図示上側の領域であれば、放電のばらつきも考慮した上で、確実に平坦部５での部分放電の発生を抑制することが可能である。つまり、下式（４）
Ｔ1／Ｔ2＞０．１３×（Ｔ3／Ｔ2）＋０．７９    ・・・（４）
を満足すれば、平坦部５のＰＤＩＶをコーナー部４でのＰＤＩＶよりも高め、確実に平坦部５での部分放電の発生を抑制することが可能になる。ここでは、放電のばらつきを５％としたが、これは放電のばらつきを示す値として一般的な値である。
【００４０】
次に、絶縁皮膜３の誘電率εの影響について検討する。
【００４１】
コーナー部４が絶縁皮膜３で均一に被覆された場合、すなわちＴ2＝Ｔ3＝０．０６ｍｍとした場合において、絶縁皮膜３の誘電率εを２．５，３．５，４．０と変化させて、平坦部５でのＰＤＩＶとコーナー部４でのＰＤＩＶとの比（ＰＤＩＶ＠平坦部／ＰＤＩＶ＠コーナー部均一）と、Ｔ1／Ｔ2との関係を求めた。結果を図８に示す。
【００４２】
図８に示すように、誘電率εが小さくなるほど、平坦部５でのＰＤＩＶが増加している。平坦部５でのＰＤＩＶとコーナー部４でのＰＤＩＶとの比（ＰＤＩＶ＠平坦部／ＰＤＩＶ＠コーナー部均一）が１以上となるときのＴ1／Ｔ2の値は、誘電率εが２．５のときは０．８５以上、誘電率εが３．５のときは０．８７以上、誘電率εが４．０のときは０．８８以上となる。この傾向から、誘電率εを２．５未満とした場合には、平坦部５でのＰＤＩＶとコーナー部４でのＰＤＩＶとの比（ＰＤＩＶ＠平坦部／ＰＤＩＶ＠コーナー部均一）が１となるときのＴ1／Ｔ2の値は、０．８５未満の値となると考えられる。なお、Ｔ1は最薄膜厚、Ｔ2は最厚膜厚であるからＴ1／Ｔ2の値は１以上となることはない。
【００４３】
したがって、絶縁皮膜３が誘電率２．５以上の樹脂からなる場合には、平坦部５での絶縁皮膜３の最薄膜厚Ｔ1と最厚膜厚Ｔ2との比（Ｔ1／Ｔ2）が、下式（２）
１＞Ｔ1／Ｔ2≧０．８５    ・・・（２）
の関係を満たせば、平坦部５でのＰＤＩＶとコーナー部４でのＰＤＩＶとの比（ＰＤＩＶ＠平坦部／ＰＤＩＶ＠コーナー部均一）が１以上となり、平坦部５での部分放電の発生を抑制することができる。
【００４４】
また、絶縁皮膜３が誘電率３．５以上の樹脂からなる場合には、平坦部５での絶縁皮膜３の最薄膜厚Ｔ1と最厚膜厚Ｔ2との比（Ｔ1／Ｔ2）が、下式（３）
１＞Ｔ1／Ｔ2≧０．８７    ・・・（３）
の関係を満たせば、平坦部５での部分放電の発生を抑制することができる。
【００４５】
なお、式（２）や式（３）の関係は、コーナー部４が絶縁皮膜３で均一に被覆された場合において導かれた関係であるが、上述のように、コーナー部４の絶縁皮膜３の膜厚Ｔ3が小さくなるほどコーナー部４でのＰＤＩＶが低下して平坦部５で部分放電が発生しにくくなる（図６参照）ので、式（２）や式（３）の関係を満たせば、コーナー部４の絶縁皮膜３の膜厚Ｔ3が小さくなった場合であっても、平坦部５での部分放電の発生を抑制できることになる。
【００４６】
次に、ギャップ幅Ｗの影響について検討する。
【００４７】
コーナー部４が絶縁皮膜３で均一に被覆された場合、すなわちＴ2＝Ｔ3＝０．０６ｍｍとした場合において、ギャップ幅Ｗを０．３ｍｍ〜１．１ｍｍの範囲で変化させたときの、平坦部５でのＰＤＩＶとコーナー部４でのＰＤＩＶとの比（ＰＤＩＶ＠平坦部／ＰＤＩＶ＠コーナー部均一）を求めた。結果を図９に示す。
【００４８】
図９に示すように、平坦部５での絶縁皮膜３の最厚膜厚Ｔ2と最薄膜厚Ｔ1との差（Ｔ2−Ｔ1）を０．００５ｍｍ、０．０１ｍｍ、０．０２ｍｍとしたいずれの場合においても、平坦部５でのＰＤＩＶの値の変化は殆どなかった。つまり、ギャップ幅Ｗが変化しても、平坦部５でのＰＤＩＶの値の変化は小さく、ギャップ幅ＷのＰＤＩＶに対する影響は殆どない。
【００４９】
以上説明したように、本実施の形態に係る平角絶縁電線１は、下式（１）
Ｔ1／Ｔ2＞０．１３×（Ｔ3／Ｔ2）＋０．７４    ・・・（１）
の関係を満たしている。
【００５０】
これにより、平坦部５のＰＤＩＶをコーナー部４でのＰＤＩＶよりも高め、確実に平坦部５での部分放電の発生を抑制することができる。
【００５１】
その結果、コーナー部４の絶縁皮膜３の膜厚の大きさから想定され得るＰＤＩＶの値よりも低い電圧で部分放電が発生してしまうことがなくなり、安定して高いＰＤＩＶを有する平角絶縁電線１を実現できる。
【００５２】
また、本実施の形態では、コーナー部４での絶縁皮膜３の膜厚Ｔ3を、コーナー部４でのＰＤＩＶが、予め設定した許容値以上となる厚さに形成しているため、コーナー部４での部分放電を許容範囲内に抑えることができ、平角絶縁電線１全体のＰＤＩＶを向上できる。
【００５３】
本発明は上記実施の形態に限定されるものではなく、本発明の趣旨を逸脱しない範囲で種々の変更を加え得ることは勿論である。
【符号の説明】
【００５４】
１  平角絶縁電線
２  平角導体
３  絶縁皮膜
４  コーナー部
５  平坦部
【図１】
2013105566.tif 000003
【図２】
2013105566.tif 000004
【図３】
2013105566.tif 000005
【図４】
2013105566.tif 000006
【図５】
2013105566.tif 000007
【図６】
2013105566.tif 000008
【図７】
2013105566.tif 000009
【図８】
2013105566.tif 000010
【図９】
2013105566.tif 000011